(57)【特許請求の範囲】
【請求項１】
１つの端末（ＡＱ1）と他の端末（ＢＱ1）とで送話信号（ｆ1）および受話信号（ｆ2）により通話する拡声通話装置であって、
前記１つの端末は、マイク負荷回路(１)を介して電源供給され、マイクアンプ（２）を経由して前記他の端末に前記送話信号を送るマイク(ＭＩＣ1)と、前記他の端末からの前記受話信号を受信するスピーカ(ＳＰ1)とを前記１つの端末の筐体である端末ケース（４）に取り付け、
前記１つの端末の前記マイク負荷回路は、前記スピーカから前記マイクへの音響帰還によりハウリングしやすい周波数帯域でのインピーダンス（Ｚ）が低下するＬＣ同調回路（１１）で構成することによりハウリングを防止したことを特徴とする拡声通話装置。
【請求項２】
前記マイク負荷回路は、信号周波数１．５〜３．０ｋＨｚに実質的に同調する前記ＬＣ同調回路と高抵抗（Ｒ1）との並列回路から成ることを特徴とする請求項１記載の拡声通話装置。
【発明の詳細な説明】
【０００１】
【発明の属する技術分野】
【０００２】
本発明は拡声通話装置に係わり、マイクの負荷抵抗にＬＣ同調回路を使用する拡声通話装置に関する。
【従来の技術】
【０００３】
従来よりこの種の拡声通話装置として図３に示すようなものが提案されている。
【０００４】
図３に示す拡声通話装置は、２線の伝送路ＬＮ51、ＬＮ52を介して通話のための上り音声信号である送話信号ｆ51および下り音声信号である受話信号ｆ52の送受を行う１つの端末ＡＱ51と他の端末ＢＱ51とで構成されている。
【０００５】
１つの端末ＡＱ51は、抵抗Ｒ51から成るマイク負荷回路５１と、マイクＭＩＣ51と、スピーカＳＰ51と、マイクアンプ５２と、コンデンサＣ51と、端末ケース５４と、２線の伝送路ＬＮ51、ＬＮ52を介して他の端末ＢＱ51との通話のために送受される送話信号ｆ51および受話信号ｆ52を４線２線変換するハイブリッド回路５３とが設けられている。
【０００６】
尚、スピーカＳＰ51およびマイクＭＩＣ51は、１つの端末ＡＱ51の筐体である端末ケース５４に近距離で取り付けられている。
【０００７】
マイクＭＩＣ51の一方の出力側は、コンデンサＣ51およびマイクアンプ５２を介してハイブリッド回路５３の４線側に接続されている。また、マイクＭＩＣ51の他方の出力側はハイブリッド回路５３の４線側に接続されている。更に、スピーカＳＰ51の入力側はハイブリッド回路５３の４線側に接続されている。
【０００８】
マイク負荷回路５１を成し、一端が定電圧源Ｖccに接続されている抵抗Ｒ51の他端は、マイクＭＩＣ51とコンデンサＣ51間に接続されている。
【０００９】
ハイブリッド回路５３の２線側は２線の伝送路ＬＮ51、ＬＮ52を介して他の端末ＢＱ51に接続されている。
【００１０】
このように構成された従来の拡声通話装置において、１つの端末ＡＱ51と他の端末ＢＱ51間で送受される上り音声信号である送話信号ｆ51および下り音声信号である受話信号ｆ52のうち、他の端末ＢＱ51にて生成送出される下り音声信号である受話信号ｆ52が２線の伝送路ＬＮ51、ＬＮ52を介して１つの端末ＡＱ51のハイブリッド回路５３の２線側に入力されることにより、この受話信号ｆ52は２線４線変換されて４線側より出力されスピーカＳＰ51より放音される。
【００１１】
マイクＭＩＣ51より生成送出される上り音声信号であり電気変換された送話信号ｆ51は、コンデンサＣ51を介してマイクアンプ５２にて電圧増幅されてハイブリッド回路５３の４線側に入力される。また、送話信号ｆ51はハイブリッド回路５３にて４線２線変換され、２線側より２線の伝送路ＬＮ51、ＬＮ52を介して他の端末ＢＱ1に送出される。
【発明が解決しようとする課題】
【００１２】
しかしながら、従来の拡声通話装置では、１つの端末ＡＱ51を構成するマイク負荷回路５１が抵抗Ｒ51のみで形成されていることから、マイク負荷回路５１のインピーダンスは一定である。よって、端末カバー（筐体）５４に設けられたマイクＭＩＣ51に近距離に設置されているスピーカＳＰ51にて出力される下り音声信号である受話信号ｆ52のその一部が音響帰還信号としてマイクＭＩＣ51へ帰還され、マイクＭＩＣ51より本来生成送出される上り音声信号である送話信号ｆ51の他に音響帰還信号も生成送出されてハウリングするなどの難点があった。
【００１３】
本発明はこのような難点を解消するためになされたもので、マイクとスピーカが端末ケースに近距離に取り付けられている状態において、スピーカより出力される信号の周波数特性の影響を考慮して、高抵抗にＬＣ同調回路を並列接続したマイク負荷回路を使用することにより、マイクより生成送出される信号に供給される定電圧源からのバイアス電流を供給制御することにより、ハウリングを防止可能な拡声通話装置を提供することを目的としている。
【課題を解決するための手段】
【００１４】
このような目的を達成するため本発明の拡声通話装置は、１つの端末と他の端末とで送話信号および受話信号により通話する拡声通話装置であって、１つの端末は、マイク負荷回路を介して電源供給され、マイクアンプを経由して他の端末に送話信号を送るマイクと、他の端末からの受話信号を受信するスピーカとを１つの端末の筐体である端末ケースに取り付け、１つの端末のマイク負荷回路は、スピーカから前記マイクへの音響帰還によりハウリングしやすい周波数帯域でのインピーダンスが低下するＬＣ同調回路で構成することによりハウリングを防止したものである。
【００１５】
また、本発明におけるマイク負荷回路は、信号周波数１．５〜３．０ｋＨｚに実質的に同調するＬＣ同調回路と高抵抗との並列回路から成るものである。
【００１６】
このように構成された本発明の拡声通話装置において、スピーカにて出力される下り音声信号である受話信号のその一部が音響帰還信号としてマイクへ帰還される際に、マイクより生成送出される音響帰還信号が重畳された上り音声信号である送話信号に定電圧源よりバイアス電流を供給するマイク負荷回路は、受話信号の周波数帯域のハウリングが生じやすい帯域（１．５〜３．０ｋＨｚ）に対してマイク負荷回路を成すＬＣ同調回路によりインピーダンスを低下させることから、音響帰還信号が重畳された上り通話信号である送話信号のハウリングしやすい（周波数）帯域が増幅されないようにハウリング防止されて、１つの端末および他の端末間における通話のための送話信号および受話信号の送受が可能となる。
【発明の実施の形態】
【００１７】
以下、本発明の拡声通話装置の一実施例について、図面を参照して説明する。
【００１８】
図１に示す拡声通話装置は、２線の伝送路ＬＮ1、ＬＮ2を介して通話のための上り音声信号である送話信号ｆ1および下り音声信号である受話信号ｆ2の送受を行う１つの端末ＡＱ1と他の端末ＢＱ1とで構成されている。
【００１９】
１つの端末ＡＱ1は、マイク負荷回路１と、マイクＭＩＣ1と、スピーカＳＰ1と、マイクアンプ２と、端末ケース４と、２線の伝送路ＬＮ1、ＬＮ2を介して他の端末ＢＱ1との通話のために送受される送話信号ｆ1および受話信号ｆ2を４線２線変換するハイブリッド回路３と、コンデンサＣ2とが設けられている。
【００２０】
尚、スピーカＳＰ1およびマイクＭＩＣ1は、１つの端末ＡＱ1の筐体である端末ケース４に近距離で取り付けられている。
【００２１】
マイクＭＩＣ1の一方の出力側は、コンデンサＣ2およびマイクアンプ２を介してハイブリッド回路３の４線側に接続されている。また、マイクＭＩＣ1の他方の出力側はハイブリッド回路３の４線側に接続されている。更に、スピーカＳＰ1の入力側はハイブリッド回路３の４線側に接続されている。
【００２２】
マイク負荷回路１を成し、一端が定電圧源Ｖccに接続されている高抵抗Ｒ1の他端は、マイクＭＩＣ1とコンデンサＣ2間に接続されている。また、高抵抗Ｒ1の両端間には直列接続されたコイルＬ1、抵抗Ｒ2およびコンデンサＣ1とから成るＬＣ同調回路１１が並列接続されている。
【００２３】
ハイブリッド回路３の２線側は２線の伝送路ＬＮ1、ＬＮ2を介して他の端末ＢＱ1に接続されている。
【００２４】
このように構成された本発明の拡声通話装置において、以下、その動作について説明する。
【００２５】
１つの端末ＡＱ1と他の端末ＢＱ1間で送受される上り音声信号である送話信号ｆ1および下り音声信号である受話信号ｆ2のうち、他の端末ＢＱ1にて生成送出される下り音声信号である受話信号ｆ2が２線の伝送路ＬＮ1、ＬＮ2を介して１つの端末ＡＱ1のハイブリッド回路３の２線側に入力されることにより、この受話信号ｆ2は２線４線変換されて４線側より出力されスピーカＳＰ1より放音される。
【００２６】
このとき、スピーカＳＰ1より放音される受話信号ｆ2のうち、一部が音響帰還信号としてマイクＭＩＣ1に入力されることより、マイクＭＩＣ1より本来生成送出される上り音声信号である送話信号ｆ1の他に前述の音響帰還信号も生成送出される。よって、音響帰還信号が重畳された送話信号ｆ1がマイクアンプ２を介して増幅されるようなハウリングを防止するために、音響帰還信号が重畳された送話信号ｆ1に対して定電圧源Ｖccより供給されるバイアス電流は、図２に示すような縦軸に１つの端末ＡＱ1のマイク負荷回路１を成すＬＣ同調回路１１のインピーダンスＺ[Ω]、横軸に１つの端末のスピーカＳＰ1から放音される下り音声信号である受話信号ｆ2の周波数帯域ｆ[ｋＨｚ]から示される周波数特性図のように、マイク負荷回路１を成すＬＣ同調回路１１はハウリングしやすい信号周波数である１．５〜３．０ｋＨｚに同調してインピーダンスＺが低下することからカットされる。よって、マイクＭＩＣ1にて生成送出される音響帰還信号が重畳された上り音声信号である送話信号ｆ1が１．５〜３．０ｋＨｚの周波数帯域が増幅されないように電気変換され、音響／電気信号として変換送出される。
【００２７】
電気変換された送話信号ｆ1は、コンデンサＣ2を介してマイクアンプ２にて電圧増幅されてハイブリッド回路３の４線側に入力される。また、増幅された送話信号ｆ1はハイブリッド回路３にて４線２線変換されて２線側より出力され、２線の伝送路ＬＮ1、ＬＮ2を介して他の端末ＢＱ1へ送出される。
【００２８】
尚、上記実施例では、１つの端末のマイクアンプの負荷抵抗にＬＣ同調回路を並列接続してハウリング防止をしたものを示したが、他の端末ＢＱ1の拡声マイクの負荷抵抗にＬＣ同調回路を並列接続してハウリング防止をしてもよい。
【発明の効果】
【００２９】
以上の説明から明らかなようにように、本発明の拡声通話装置によれば、マイク負荷回路をハウリングしやすい周波数帯域でのインピーダンスが低下するようなＬＣ同調回路で構成したので、マイクおよびスピーカを近距離に設置されている際のハウリングを防止できるという効果がある。
【図面の簡単な説明】
【００３０】
【図１】本発明の拡声通話装置の一実施例を示すブロック図。
【図２】本発明の拡声通話装置の一実施例の周波数特性を示すグラフ。
【図３】従来の拡声通話装置のブロック図。
【符号の説明】
【００３１】
ＡＱ1‥‥‥１つの端末
ＢＱ1‥‥‥他の端末
ＭＩＣ1‥‥‥マイク
ＳＰ1‥‥‥スピーカ
Ｒ1‥‥‥高抵抗
１‥‥‥マイク負荷回路
２‥‥‥マイクアンプ
１１‥‥‥ＬＣ同調回路
ｆ1‥‥‥送話信号
ｆ2‥‥‥受話信号
４‥‥‥筐体である端末ケース
Ｚ‥‥‥インピーダンス
【図１】
0003605265.tif 000002
【図２】
0003605265.tif 000003
【図３】
0003605265.tif 000004